(57)【要約】ある実施形態において、目の動きを追跡するためのシステムは、カメラシステム、コンピュータシステム及び出力装置を含む。カメラシステムは、目の画像を生成する。コンピュータシステムは、画像と、基準画像としての画像の少なくとも１つとを格納する。コンピュータシステムは、現在の画像を基準画像と比較することにより、且つ現在の画像及び基準画像の比較から目の動きを判定することにより、追跡範囲内の目の動きも追跡する。追跡範囲は、１つ又は複数の警告点を有する。コンピュータシステムは、追跡範囲の少なくとも１つの警告点に対する目の方位も判定する。出力装置は、追跡範囲の少なくとも１つの警告点に対する目の方位を示す範囲インジケータを出力する。
2020535890.tif 000002
【特許請求の範囲】
【請求項１】
目の動きを追跡するためのシステムであって、
前記目の複数の画像を生成するように構成されたカメラシステムと、
コンピュータシステムであって、
前記複数の画像を格納し、且つ前記画像の少なくとも１つを基準画像として格納するように構成されたメモリと、
１つ又は複数のプロセッサであって、
前記複数の画像の現在の画像を前記基準画像と比較することにより、且つ前記現在の画像及び前記基準画像の前記比較から前記目の動きを判定することにより、追跡範囲内の前記目の動きを追跡することであって、前記追跡範囲は、１つ又は複数の警告点を有する、追跡することと、
前記追跡範囲の少なくとも１つの警告点に対する前記目の方位を判定することと
を行うように構成された１つ又は複数のプロセッサと
を含むコンピュータシステムと、
前記追跡範囲の前記少なくとも１つの警告点に対する前記目の前記方位を示す範囲インジケータを出力するように構成された出力装置と
を含むシステム。
【請求項２】
前記出力装置は、グラフィカル要素として前記範囲インジケータを示すディスプレイを含む、請求項１に記載のシステム。
【請求項３】
前記グラフィカル要素は、
前記追跡範囲を表す線形要素であって、前記追跡範囲の前記少なくとも１つの警告点を表す少なくとも１つの警告点要素を有する線形要素と、
前記目に対応するスライダ要素であって、前記警告点要素に対する前記スライダの位置は、前記追跡範囲の前記少なくとも１つの警告点に対する前記目の前記方位を表す、スライダ要素と
を含む、請求項２に記載のシステム。
【請求項４】
前記グラフィカル要素は、
前記追跡範囲を表す線形要素であって、前記追跡範囲の前記少なくとも１つの警告点を表す少なくとも１つの警告点要素を有する線形要素と、
前記目に対応する矢印要素であって、前記警告点要素に対して前記矢印が指し示す位置は、前記追跡範囲の前記少なくとも１つの警告点に対する前記目の前記方位を表す、矢印要素と
を含む、請求項２に記載のシステム。
【請求項５】
前記グラフィカル要素は、前記追跡範囲の前記少なくとも１つの警告点に対する前記目の前記方位における変化を示すために第１の色から第２の色に連続的に変化する、請求項２に記載のシステム。
【請求項６】
前記グラフィカル要素は、前記追跡範囲の前記少なくとも１つの警告点に対する前記目の前記方位における変化を示すために第１の形状から第２の形状に連続的に変化する、請求項２に記載のシステム。
【請求項７】
前記グラフィカル要素は、前記追跡範囲の前記少なくとも１つの警告点に対する前記目の前記方位における変化を示すために第１のサイズから第２のサイズに連続的に変化する、請求項２に記載のシステム。
【請求項８】
前記グラフィカル要素は、前記追跡範囲の前記少なくとも１つの警告点に対する前記目の前記方位における変化を示すために第２の数に連続的に変化する第１の数を示す、請求項２に記載のシステム。
【請求項９】
前記グラフィカル要素は、前記追跡範囲の前記少なくとも１つの警告点に対する前記目の前記方位における変化を示すために第２の単語に変化する第１の単語を示す、請求項２に記載のシステム。
【請求項１０】
前記出力装置は、前記範囲インジケータを音声として発するスピーカを含む、請求項１に記載のシステム。
【請求項１１】
前記スピーカは、前記追跡範囲の前記少なくとも１つの警告点に対する前記目の前記方位における変化を示すために周波数において連続的に変化する音声を発する、請求項１０に記載のシステム。
【請求項１２】
前記スピーカは、前記追跡範囲の前記少なくとも１つの警告点に対する前記目の前記方位における変化を示すためにボリュームにおいて連続的に変化する音声を発する、請求項１０に記載のシステム。
【請求項１３】
前記スピーカは、前記追跡範囲の前記少なくとも１つの警告点に対する前記目の前記方位における変化を示すために単語を発する、請求項１０に記載のシステム。
【請求項１４】
画像処理システムは、ユーザ入力から前記１つ又は複数の警告点のうちの警告点の選択を受信する、請求項１に記載のシステム。
【請求項１５】
前記目の前記動きの通知を受信することと、
前記通知に応じてレーザビームの位置を変更することと
を行うように構成されたレーザシステムを更に含む、請求項１に記載のシステム。
【請求項１６】
目の動きを追跡するための方法であって、
前記目の複数の画像を生成することと、
前記複数の画像と、基準画像としての前記画像の少なくとも１つとを格納することと、
前記複数の画像の現在の画像を前記基準画像と比較することにより、且つ前記現在の画像及び前記基準画像の前記比較から前記目の動きを判定することにより、追跡範囲内の前記目の動きを追跡することであって、前記追跡範囲は、１つ又は複数の警告点を有する、追跡することと、
前記追跡範囲の少なくとも１つの警告点に対する前記目の方位を判定することと、
前記追跡範囲の前記少なくとも１つの警告点に対する前記目の前記方位を示す範囲インジケータを出力することと
を含む方法。
【発明の詳細な説明】
【技術分野】
【０００１】
本開示は、概して、アイトラッキングに関し、より具体的には、追跡範囲内における目の動きの追跡に関する。
【背景技術】
【０００２】
画像誘導システムは、白内障屈折矯正装置及びＬＡＳＩＫ手術装置などの眼科手術装置と共に使用するために開発された。システムは、目の特徴、例えば強膜血管、角膜縁及び虹彩の特徴を捕捉する、患者の目のデジタル画像を作成する。この画像は、例えば、切開及びレンズ整列の位置をリアルタイムに定めるために用いられる。システムは、目の並進及び回転の動きを検出するアイトラッキング能力を有し得る。幾つかのシステムにおいて、アイトラッキングは、手術中にレーザビームをターゲット上に保つことを促進する。研究は、アイトラッキングがより良好な結果をもたらし、且つ複雑さを低減させることを示した。
【発明の概要】
【課題を解決するための手段】
【０００３】
ある実施形態において、目の動きを追跡するためのシステムは、カメラシステム、コンピュータシステム及び出力装置を含む。カメラシステムは、目の画像を生成する。コンピュータシステムは、メモリ及び１つ又は複数のプロセッサを含む。メモリは、画像と、基準画像としての画像の少なくとも１つとを格納する。プロセッサは、複数の画像の現在の画像を基準画像と比較することにより、且つ現在の画像及び基準画像の比較から目の動きを判定することにより、追跡範囲内の目の動きを追跡する。追跡範囲は、１つ又は複数の警告点を有する。プロセッサは、追跡範囲の少なくとも１つの警告点に対する目の方位も判定する。出力装置は、追跡範囲の少なくとも１つの警告点に対する目の方位を示す範囲インジケータを出力する。
【０００４】
ある実施形態において、目の動きを追跡するための方法は、目の画像を生成することを含む。画像は、格納され、及び画像の少なくとも１つは、基準画像として格納される。目の動きは、複数の画像の現在の画像を基準画像と比較することにより、且つ現在の画像及び基準画像の比較から目の動きを判定することにより、追跡範囲内で追跡される。追跡範囲は、１つ又は複数の警告点を有する。目の方位は、追跡範囲の少なくとも１つの警告点に対して判定される。追跡範囲の少なくとも１つの警告点に対する目の方位を示す範囲インジケータが出力される。
【０００５】
本開示の実施形態は、添付の図に関連してより詳細に例として説明される。
【図面の簡単な説明】
【０００６】
【図１】レーザ治療手術中に目の動きを追跡するためのシステムの一実施形態を示す。
【図２Ａ−２Ｂ】異なる追跡セッション中の範囲インジケータの例を示す。
【図３Ａ−３Ｂ】スライダ要素を備えたグラフィカル要素の例を示す。
【図４Ａ−４Ｂ】矢印要素を備えたグラフィカル要素の例を示す。
【図５Ａ−５Ｄ】色を変えるグラフィカル要素の例を示す。
【図６Ａ−６Ｄ】形状を変えるグラフィカル要素の例を示す。
【図７Ａ−７Ｂ】サイズを変えるグラフィカル要素の例を示す。
【図８Ａ−８Ｄ】数を表示するグラフィカル要素の例を示す。
【図９Ａ−９Ｄ】単語を表示するグラフィカル要素の例を示す。
【図１０Ａ−１０Ｂ】周波数において変化する音声の例を示す。
【図１１Ａ−１１Ｂ】ボリュームにおいて変化する音声の例を示す。
【図１２】図１のシステムによって実行され得る、目の動きを追跡するための方法の例を示す。
【発明を実施するための形態】
【０００７】
ここで、説明及び図面を参照すると、開示される機器、システム及び方法の例示的な実施形態が詳細に示されている。この分野の当業者に明白であるように、開示される実施形態は、例示的なものであり、全ての可能な実施形態を網羅したものではない。
【０００８】
図１は、例えば、手術又は診断処置中に目１２の動きを追跡するためのシステム１０の一実施形態を示す。システム１０は、目の追跡範囲の警告点に対する目１２の方位を示す範囲インジケータを提供し、その結果、ユーザは、目１２が追跡範囲外に動きそうであることを、目１２が実際にそうする前に判定することができる。これは、追跡範囲外に動くことの幾つかの望ましくない影響を回避するために用いることができる。例えば、幾つかのシステムにおいて、追跡範囲が超えられた場合、システムは、追跡を中止し、それは、手術時間を引き延ばす。別の例として、システムは、追跡範囲が超えられた場合、誤検出追跡を報告し得る。
【０００９】
図示の実施形態において、システム１０は、コンピュータシステム２０、カメラシステム２２、レーザシステム２４及び出力装置２６を含む。コンピュータシステム２０は、１つ又は複数のメモリ３０及び１つ又は複数のプロセッサ３２を含む。ある実施形態において、カメラシステム２２は、目１２の画像３４を生成する。コンピュータシステム２０は、目の追跡及びレーザ制御を管理する。メモリ３０は、画像３４を格納し、少なくとも１つの画像３４が基準画像３４ａとして格納される。プロセッサ３２は、現在の画像３４を基準画像３４ａと比較することと、現在の画像３４及び基準画像３４ａの比較から目１２の動き（例えば、位置及び／又は角度方向における変化）を判定することとにより、追跡範囲内で目１２を追跡する。追跡範囲は、システム１０の追跡範囲の端部の近くに又は端部に１つ又は複数の警告点を有する。プロセッサ３２は、警告点に対する目１２の方位を判定する。出力装置２６は、追跡範囲の警告点に対する目１２の方位を示す範囲インジケータを出力する。
【００１０】
カメラシステム２２は、目１２から反射された光を検出し、且つ目１２の画像３４を作成するために使用できる信号を生成できる検出器を備えた任意の適切なシステムであり得る。カメラシステム２２の例は、ＣＣＤカメラである。目１２の画像３４のシーケンス（ｉ1、．．．、ｉk、．．．、ｉn）は、目１２の動きを示すことができる。画像３４は、動きを検出するために、カメラ２２からの現在の画像と比較するための基準画像として用いられる。基準画像は、現在の画像ｉkの前の任意の適切な画像ｉk-q（ｑ≧１）、例えば現在の画像ｉkの直前の画像ｉk-1であり得る。
【００１１】
目１２は、位置及び方位（又は角度方向又は角度位置）を有し、それらは、目１２の配置として説明され得る。ある実施形態において、目１２の位置は、眼科手術において用いられる座標系である（ｘ、ｙ、ｚ）座標を用いて表現され得、ここで、虹彩などの目の特徴は、ｘｙ平面を画定し、ｚ軸は、目１２の中心点を通過する平面に垂直なラインである。例えば、時間ｔにおけるｘｙ平面上の目１２の位置は、目１２の中心点（例えば、実質的にほぼ瞳孔中心又は先端）の（ｘ（ｔ）、ｙ（ｔ））座標によって与えられ得る。目１２の方位又は角度位置は、目１２の点を中心とする回転として表現され得、目１２の点は、目１２の中心点であり得る。例えば、時間ｔにおける目１２の方位は、時間ｔにおけるゼロ位置から離れた量ａ（ｔ）度の回転として与えられ得る。度数の量は、１つ、２つ又は３つの軸、例えば軸Ａ1を中心とする数ａ1（ｔ）度の回転、軸Ａ1を中心とする数ａ1（ｔ）度の回転及び軸Ａ2を中心とする数ａ2（ｔ）度の回転又は軸Ａ1を中心とする数ａ1（ｔ）度の回転、軸Ａ2を中心とする数ａ2（ｔ）度の回転及び軸Ａ3を中心とする数ａ3（ｔ）度の回転に関して表現され得る。ゼロ位置は、追跡が追跡セッションの初めに開始する場合の目１２の角度位置などの初期角度位置であり得る。追跡セッションは、追跡の初期化のとき又は例えば目１２が追跡範囲外に動いた後の追跡の再開時に開始し得る。
【００１２】
コンピュータシステム２０は、目１２の並進及び／又は角度（若しくは回転）運動など、目１２の配置における変化を判定することにより、目１２の動きを追跡する。並進運動は、ほぼ同じ方向におけるほぼ同じ量だけの目１２の全ての点の動きである。角度運動は、目１２の中心点を中心とした目１２における点の動きである。ある実施形態において、システム２０は、中心点を用いて並進運動を判定し、且つ次に画像３４を並進的に整列させるために、基準及び現在の画像３４において目１２の中心点、例えば瞳孔の位置を突き止めるように画像処理を用い得る。システム２０は、角度運動を判定し、且つその後、中心点を中心として画像３４を回転的に整列させるために、目１２の特徴（例えば、血管、虹彩特徴又は任意の他の適切な特徴）の位置を突き止めるように画像処理を用い得る。
【００１３】
図２Ａは、目１２の方位（又は角度位置）を示す例を示す。１つ又は複数のライン３６は、目１２の位置を示し得る。図示の例において、ライン３６ａ−ｂは、軸として機能する。ライン３６ａ−ｂは、目１２の瞳孔の中心点３７をほぼ通過し、且つ互いにほぼ垂直である。
【００１４】
再び図１を参照すると、幾つかの実施形態において、システム１０は、カメラシステム２２によって生成された目１２の画像３４の上に目１２のオーバーレイ画像を整列させることができるように目１２の動きを追跡する。オーバーレイ画像の例は、目１２の診断画像、治療計画の画像、赤外線画像又は他の画像を含む。オーバーレイ画像は、カメラシステム２２によって生成された画像３４の上に置かれるか、又は画像３４と混合され得る。目１２が画像３４において動いた場合、システム１０は、動きを補償するためにオーバーレイ画像を調整する。
【００１５】
コンピュータシステム２０は、追跡を適切に実行できる、例えば適切な精度及び／又は正確さで実行できるある追跡範囲内で目１２の動きを追跡することができる。範囲外では、システム１０システムは、追跡を中止し得るか、又は誤検出追跡を報告し得る。追跡範囲は、Ｐ＋／−Ｑとして表現され得、ここで、Ｐは、追跡が開始する場合のゼロ位置を表し、Ｑは、追跡境界を表し、追跡境界は、追跡が適切に実行され得る、ゼロ位置Ｐから離れる最大距離である。追跡範囲は、１つ又は複数の警告点を有し得る。警告点Ｓは、目１２が追跡境界の近くか又は追跡境界にあるという通知をシステム２０が提供する点であり、従ってＳ≦Ｑである。
【００１６】
角度運動を追跡するために、追跡範囲は、Ｐ＋／−Ｑ°として表現され得、ここで、Ｐは、追跡が開始する場合のゼロ回転を表し、Ｑは、追跡境界を表す。追跡境界Ｑは、追跡が適切に実行され得る、ゼロ回転Ｐから離れる最大量の度数である。Ｑは、任意の適切な値を有し得る。現在のシステムについて、Ｑは、１５度など、１０〜１５度の範囲である。システムが改善するにつれて、Ｑは、１５〜２０、２０〜２５、２５〜３０又は３０度を超える範囲であり得る。警告点Ｓは、任意の適切な値を有し得、且つＱに基づいて選択され得る。例えば、Ｓ＝Ｑ又はＳ＝Ｑ−Ｔであり、ここで、Ｔは、Ｓ＝Ｑ−Ｔ＝１５−５度など、１〜５、５〜１０、１０〜１５、１５〜２０又は２０度を超える範囲である。警告点Ｓは、システム１０によって設定され得るか、又はユーザ入力を介してユーザによって設定され得る。
【００１７】
コンピュータシステム２０が目１２の動きを追跡するとき、システム２０は、警告点に対する目１２の配置も判定する。例えば、システム２０は、警告点Ｓに対する目１２の方位ａ（ｔ）を判定する。関係は、目１２の方位と警告点との間の差、例えばａ（ｔ）−Ｓとして表現され得る。目１２が警告点Ｓのより近くに動くと共に、差は、ゼロに近づく。
【００１８】
出力装置２６は、追跡範囲の警告点Ｓに対する目１２の配置（例えば、方位及び／又は位置）を示す範囲インジケータを出力する。出力装置２６は、ユーザ又は別のコンピュータ、例えばディスプレイ、モニター、プロジェクタ、スピーカ、ヘッドホン若しくはプリンタにコンピュータ出力を供給する任意の適切な装置であり得る。ある実施形態において、出力装置２６は、グラフィカル要素として範囲インジケータを示すディスプレイである。グラフィカル要素は、典型的には、情報を伝達する任意の適切なサイズ、形状又は色の視覚的なマークである。グラフィカル要素の範囲インジケータの例が図２Ａ〜９Ｂに関連して説明される。ある実施形態において、出力装置２６は、音声として範囲インジケータを発するスピーカである。可聴範囲インジケータの例が図１０Ａ〜１１Ｂに関連して説明される。
【００１９】
図２Ａ及び２Ｂを参照すると、範囲インジケータ３９は、異なる追跡セッション中の目１２の方位を示す。図２Ａにおいて、追跡セッションのゼロ点は、Ｐ1であり、その結果、セッションの追跡範囲は、Ｐ1＋／−Ｑである。図２Ｂにおいて、追跡セッションのゼロ点は、Ｐ2であり、その結果、セッションの追跡範囲は、Ｐ2＋／−Ｑである。図２Ａにおいて、範囲インジケータ３９は、目１２の方位が追跡範囲内であることを示す。図２Ｂにおいて、範囲インジケータ３９は、目１２の方位が追跡範囲の外側であることを示す。図２Ａの目１２がたとえ追跡範囲内にあり、且つ図２Ｂの目１２が追跡範囲内になくても、目１２の方位は、図２Ａ及び２Ｂの両方において同じであるように見えることに留意されたい。これは、図２Ａ及び２Ｂが異なる追跡セッションを表示するからであり、目１２が追跡範囲Ｐ＋／−Ｑ内にあるかどうかの判定は、追跡セッションのゼロ点Ｐに依存する。
【００２０】
再び図１を参照すると、レーザシステム２４は、目１２の動きの通知を受信し、且つ通知に応じてレーザビームの位置を変更する。レーザシステム２４は、目１２を治療するためにレーザビームを供給する任意の適切なレーザ手術装置であり得、且つコンピュータ、レーザ源及び走査装置を含み得る。ある実施形態において、走査装置は、目１２の動きの通知を受信し、且つ動きを処理するか又は補償するためにレーザビームの焦点を修正する。このように、目の動きは、位置合わせ又は追跡目的のいずれかのために考慮することができる。
【００２１】
図３Ａ及び３Ｂは、スライダ要素４２を備えたグラフィカル要素３８の例を示す。例において、グラフィカル要素３８は、線形要素４０及びスライダ要素４２を含む。線形要素４０は、直線又は曲線であり得る長く狭いマークである。例において、線形要素４０は、追跡範囲を表し、且つ追跡範囲の警告点を表す少なくとも１つの警告点要素４１を有する。スライダ要素４２は、線形要素４０に沿ったマークである。例において、スライダ要素４２は、目１２の回転を表す。点４１に対するスライダ要素４２の位置は、追跡範囲の警告点に対する目１２の回転を表す。図３Ａは、警告点を超えない、即ち許容範囲内にある目１２の回転を示す。図３Ｂは、警告点を超える、即ち許容範囲の外側にある回転する目１２を示す。
【００２２】
図４Ａ及び４Ｂは、矢印要素４６を備えたグラフィカル要素３８の例を示す。例において、グラフィカル要素３８は、線形要素４４及び矢印要素４６を含む。線形要素４４は、線形要素４０に類似している。例において、線形要素４４は、追跡範囲を表し、且つ追跡範囲の警告点を表す少なくとも１つの警告点要素４１を有する。矢印要素４６は、線形要素４４に沿った位置を示すマークである。幾つかの場合、矢印要素４６は、図示のように見え得るか又は磁針のように見え得る。例において、矢印要素４６は、目１２の回転を表す線形要素４４の点を指し示す。矢印の要素４６が点４１に対して指し示す位置は、追跡範囲の警告点に対する目１２の回転を表す。図４Ａは、警告点を超えない、即ち許容範囲内にある目１２の回転を示す。図４Ｂは、警告点を超える、即ち許容範囲の外側にある回転する目１２を示す。
【００２３】
図５Ａ〜５Ｄは、色を変えるグラフィカル要素３８の例を示す。ある実施形態において、グラフィカル要素３８は、追跡範囲の警告点に対する目の方位における変化を示すために第１の色から第２の色に連続的に変化する。連続的な色変化は、第１の色から第２の色への陰影における変化であり得る。図示の例において、図５Ａは、目１２の回転が警告点に近づいていない、即ち許容範囲内にあることを示す緑のグラフィカル要素３８を示す。図５Ｂは、目１２の回転が警告点に近づいていることを示す赤みがかった緑のグラフィカル要素３８を示す。図５Ｃは、目１２の回転が警告点に更に近づいていることを示す緑がかった赤のグラフィカル要素３８を示す。図５Ｄは、目１２の回転が警告点を超えた、即ち許容範囲の外側にあることを示す赤のグラフィカル要素３８を示す。
【００２４】
図６Ａ〜６Ｄは、形状を変えるグラフィカル要素３８の例を示す。ある実施形態において、グラフィカル要素３８は、追跡範囲の警告点に対する目の方位における変化を示すために第１の形状から第２の形状に連続的に変化する。形状における連続的変化は、第１の形状から第２の形状まで漸進的な変化であり得る。図示の例において、図６Ａは、目１２の回転が警告点に近づいていない、即ち許容範囲内にあることを示す円としてグラフィカル要素３８を示す。図６Ｂは、目１２の回転が警告点に近づいていることを示す丸い角を備えた正方形としてグラフィカル要素３８を示す。図６Ｃは、目１２の回転が警告点に更に近づいていることを示す丸い角を備えたＸとしてグラフィカル要素３８を示す。図６Ｄは、目１２の回転が警告点を超えた、即ち許容範囲の外側にあることを示す鋭い角を備えたＸとしてグラフィカル要素３８を示す。
【００２５】
図７Ａ及び７Ｂは、サイズを変えるグラフィカル要素３８の例を示す。ある実施形態において、グラフィカル要素３８は、追跡範囲の警告点に対する目の方位における変化を示すために第１のサイズから第２のサイズに連続的に変化する。警告点マーク４７は、警告点を表す。図示の例において、図７Ａは、目１２の回転が警告点を超えていない、即ち許容範囲内にあることを示す、マーク４７を横断しないバーとしてグラフィカル要素３８を示す。図７Ｂは、目１２の回転が警告点を超える、即ち許容範囲の外側にあることを示す、マーク４７を横断するバーとしてグラフィカル要素３８を示す。
【００２６】
図８Ａ〜８Ｄは、数を表示するグラフィカル要素３８の例を示す。ある実施形態において、グラフィカル要素３８は、追跡範囲の警告点に対する目の方位における変化を示すために次の数５０に連続的に変化する第１の数５０を表示する。図示の例において、図８Ａは、目１２の回転が警告点に近づいていない、即ち許容範囲内にあることを示す「３」を表示するグラフィカル要素３８を示す。図８Ｂは、目１２の回転が警告点に近づいていることを示す「２」を表示するグラフィカル要素３８を示す。図８Ｃは、目１２の回転が警告点に更に近づいていることを示す「１」を表示するグラフィカル要素３８を示す。図８Ｄは、目１２の回転が警告点を超えた、即ち許容範囲の外側にあることを示す「０」を表示するグラフィカル要素３８を示す。
【００２７】
図９Ａ〜９Ｄは、単語を表示するグラフィカル要素３８の例を示す。ある実施形態において、グラフィカル要素３８は、追跡範囲の警告点に対する目の方位における変化を示すために次の単語５２に連続的に変化する第１の単語５２を表示する。図示の例において、図９Ａは、目１２の回転が警告点に近づいていない、即ち許容範囲内にあることを示す「ＯＫ」を表示するグラフィカル要素３８を示す。図９Ｂは、目１２の回転が警告点に近づいていることを示す「近い」を表示するグラフィカル要素３８を示す。図９Ｃは、目１２の回転が警告点に更に近づいていることを示す「近すぎる」を表示するグラフィカル要素３８を示す。図９Ｄは、目１２の回転が警告点を超えた、即ち許容範囲の外側にあることを示す「ＮＯ」を表示するグラフィカル要素３８を示す。
【００２８】
図１０Ａ及び１０Ｂは、周波数において変化する音声の例を示す。ある実施形態において、スピーカ５６は、追跡範囲の警告点に対する目の方位における変化を示すために周波数５８において連続的に変化する音声を発する。例において、図１０Ａは、目１２の回転が警告点に近づいていない、即ち許容範囲内にあることを示すｘＨｚの周波数５８ａを備えた音声を示す。図１０Ｂは、目１２の回転が警告点を超える、即ち許容範囲の外側にあることを示すｙＨｚの周波数５８ｂを備えた音声を示す。周波数ｙは、周波数ｘと同じではなく、周波数ｘより大きいか又は小さくすることができる。
【００２９】
図１１Ａ及び１１Ｂは、ボリューム６０において変化する音声の例を示す。ある実施形態において、スピーカ５６は、追跡範囲の警告点に対する目の方位における変化を示すためにボリューム６０において連続的に変化する音声を発する。例において、図１１Ａは、目１２の回転が警告点に近づいていない、即ち許容範囲内にあることを示すｘｄＢのボリューム６０ａを備えた音声を示す。図１１Ｂは、目１２の回転が警告点を超える、即ち許容範囲の外側にあることを示すｙｄＢのボリューム６０ｂを備えた音声を示す。ボリュームｙは、ボリュームｘと同じではなく、ボリュームｘより大きいか又は小さくすることができる。
【００３０】
ある場合、スピーカ５６は、追跡範囲の警告点に対する目の方位における変化を示すために単語を発する。任意の適切な単語、例えば図９Ａ及び９Ｂに関連して説明された単語が用いられ得る。単語の他の例は、追跡範囲を超えるのを回避するために追跡が右回りに回転されるべき場合の「右に回転せよ」、又は追跡範囲を超えるのを回避するために追跡が左回りに回転されるべき場合の「左に回転せよ」を含む。
【００３１】
図１２は、図１のシステム１０によって実行され得る、目の動きを追跡するための方法の例を示す。例において、方法は、ステップ１１０で開始し、ステップ１１０で目の画像が生成される。ステップ１１２において、画像は、格納され、少なくとも１つの画像が基準画像として格納される。ステップ１１４及び１１６は、１つ又は複数の警告点を備えた追跡範囲内における目１２の追跡を説明する。目１２は、複数の画像の現在の画像を基準画像と比較することにより、ステップ１１４で追跡される。目１２の動きは、ステップ１１６において現在の画像及び基準画像の比較から判定される。目の方位は、ステップ１１８において、追跡範囲の警告点に対して判定される。追跡範囲の警告点に対する目の方位を示す範囲インジケータがステップ１２０において出力される。
【００３２】
本明細書で開示されるシステム及び機器のコンポーネント（例えば、コンピュータ）は、インターフェース、論理及び／又はメモリを含み得、それらのいずれもハードウェア及び／又はソフトウェアを含み得る。インターフェースは、コンポーネントへの入力を受信し、コンポーネントから出力を供給し、且つ／又は入力及び／若しくは出力を処理することができる。論理は、コンポーネントのオペレーションを実行することができ、例えば入力から出力を生成するために命令を実行することができる。論理は、１つ若しくは複数のコンピュータ又は１つ若しくは複数のマイクロプロセッサなどのプロセッサであり得る。論理は、コンピュータプログラム又はソフトウェアなど、コンピュータによって実行できる、メモリにおける符号化されたコンピュータ実行可能命令であり得る。メモリは、情報を格納することができ、且つ１つ又は複数の実体的で非一時的なコンピュータ可読のコンピュータ実行可能記憶媒体を含み得る。メモリの例は、コンピュータメモリ（例えば、ランダムアクセスメモリ（ＲＡＭ）又は読み出し専用メモリ（ＲＯＭ））、大容量記憶媒体（例えば、ハードディスク）、取り外し可能記憶媒体（例えば、コンパクトディスク（ＣＤ）又はデジタルビデオディスク（ＤＶＤ））及びネットワーク記憶装置（例えば、サーバ又はデータベース）を含む。
【００３３】
本開示は、ある実施形態の観点から説明されたが、実施形態の修正形態（代用形態、追加形態、変更形態又は省略形態など）が当業者に明らかになるであろう。従って、本発明の範囲から逸脱せずに実施形態に対する修正形態がなされ得る。例えば、本明細書で開示されるシステム及び機器に対する修正形態がなされ得る。システム及び機器のコンポーネントは、統合されるか又は分離され得、システム及び機器の動作は、より多くの、より少数の又は他のコンポーネントによって実行され得る。別の例として、本明細書で開示される方法に対する修正形態がなされ得る。方法は、より多くの、より少数の又は他のステップを含み得、ステップは、任意の適切な順序で実行され得る。
【図１】
2020535890.tif 000003
【図２Ａ】
2020535890.tif 000004
【図２Ｂ】
2020535890.tif 000005
【図３】
2020535890.tif 000006
【図４】
2020535890.tif 000007
【図５Ａ−５Ｄ】
2020535890.tif 000008
【図６】
2020535890.tif 000009
【図７】
2020535890.tif 000010
【図８】
2020535890.tif 000011
【図９Ａ−９Ｄ】
2020535890.tif 000012
【図１０】
2020535890.tif 000013
【図１１】
2020535890.tif 000014
【図１２】
2020535890.tif 000015
【国際調査報告】
2020535890.tif 000016
2020535890.tif 000017